(57)【特許請求の範囲】
【請求項１】
画像が表示されるパネルと、前記パネルに結合されるファンネルと、
前記ファンネルのネックに挿入される電子銃ユニットと、前記電子銃ユニットに結合されてビデオ信号を伝達するビデオ装置とを備えるディスプレイ装置において、
輪状の第１クランプ本体を含み、前記ファンネルのネックの外周面に配設された前記第１クランプ本体を締めることにより前記ファンネルのネックに装着結合される第１クランプ部材と、
前記ビデオ装置に装着結合される輪状の第２クランプ本体を含む第２クランプ部材とを設け、
前記第１クランプ本体と前記第２クランプ本体とを相互に係止めさせて、更に前記第２クランプ本体を前記第１クランプ本体と一体となるように締めることにより前記第１クランプ部材と前記第２クランプ部材とを相互結合させて、前記ビデオ装置が前記電子銃ユニットから離脱するのを防止したこと、
を特徴とするディスプレイ装置。
【請求項２】
前記ビデオ装置は、
前記電子銃ユニットが挿入されるように板面に貫通形成されたネック挿入孔を有するシールド部材と、
前記電子銃ユニットに向かって突出形成される複数のリブを有し、前記シールド部材に結合される補強部材と、
前記シールド部材の背後に結合され、前記電子銃ユニットのネックの外側に突出されたボス部と整合するボス装着部を有するビデオＰＣＢと、
を含むことを特徴とする請求項１に記載のディスプレイ装置。
【請求項３】
前記第１クランプ部材は、
前記ファンネルのネックの外周面に配設される前記第１クランプ本体と、
前記第１クランプ本体が前記ネックの外周面に密着されるように前記第１クランプ本体の両端部を締める第１締結部材とを有し、
前記第２クランプ部材は、
前記ビデオ装置から突出される複数のリブに係止される前記第２クランプ本体と、
前記第１クランプ本体および前記第２クランプ本体が相互に係止めされる時、前記第２クランプ本体を前記第１クランプ本体と一体となるように締める第２締結部材と、
を有することを特徴とする請求項１又は２のいずれか１項に記載のディスプレイ装置。
【請求項４】
前記第１クランプ本体及び前記第２クランプ本体には、
いずれか一方の板面に少なくとも一つの係止孔が形成され、
もう一方の板面に前記係止孔に係止可能な少なくとも一つの係止突起が形成されることを特徴とする請求項３に記載のディスプレイ装置。
【請求項５】
前記係止孔は長孔であることを特徴とする請求項４に記載のディスプレイ装置。
【請求項６】
前記補強部材の各リブの先端には折曲部が形成され、
前記第２クランプ本体の板面には前記折曲部が選択的に係止されるリブ装着孔が形成されることを特徴とする請求項２又は３のいずれかに記載のディスプレイ装置。
【発明の詳細な説明】
【０００１】
【発明の属する技術分野】
本発明は、ディスプレイ装置に係り、より詳細には、電子銃ユニットとビデオ装置の結合構造を改善したディスプレイ装置に関するものである。
【０００２】
【従来の技術】
ディスプレイ装置とは、テレビジョン用モニターやコンピュータ用モニターを総称する言葉で、ＬＣＤ（Ｌｉｑｕｉｄ Ｃｒｙｓｔａｌ Ｄｉｓｐｌａｙ）モニター、ＣＲＴ（Ｃａｔｈｏｄｅ Ｒａｙ Ｔｕｂｅ）モニター、およびＣＤＴ（Ｃｏｌｏｒ Ｄｉｓｐｌａｙ Ｔｕｂｅ）モニター等を含む。通常、ＣＤＴモニターは、陰極線管バルブを用いたコンピュータ用モニターを指し、ＣＲＴモニターは、陰極線管バルブを用いたテレビジョンモニターを指す。以下、ＣＲＴモニターにはＣＤＴモニターが含まれていると定義する。
【０００３】
従来のＣＲＴモニター用ディスプレイ装置は、パネルとファンネルとの結合により形成される陰極線管バルブと、陰極線管バルブのネックに挿入されて、陰極線管バルブ内に電子ビームを放出させる電子銃ユニットと、電子銃ユニットに結合されて、陰極線管バルブにビデオ信号を伝達するビデオ装置と、を有する。
【０００４】
ビデオ信号の強弱に従って、電子銃ユニットから陰極線管バルブ内に投射される電子ビームに一定のタイミングで強弱をつけることにより、電子ビームはパネルの表面に塗り付けられた単色またはＲＧＢ（Ｒｅｄ，Ｇｒｅｅｎ，Ｂｌｕｅ）の蛍光物質に衝突して、ビームの強弱に対応してドットが光る。このようにして電子ビームで蛍光面の画面を走査することにより、パネルに画像がディスプレイされる。
【０００５】
ところが、このような従来のディスプレイ装置は、ビデオ装置が電子銃ユニットから離脱され易いという問題がある。従来のディスプレイ装置は、ケーブルタイのような手段を利用してビデオ装置を電子銃ユニットに結合させているので、結合が容易ではなく、しかも結合力が低い。最近では特に、ディスプレイ装置が大形化および高級化されており、これに伴ないビデオ装置も大形化されていて重量が増加しているので、益々ビデオ装置が離脱され易くなっているという短所がある。
【０００６】
また、仮に、結合力を高めるためにビデオ装置を陰極線管バルブのネックに直接結合するとすれば、ビデオ装置の重量により、ガラスから成る陰極線管バルブのネックが破損される可能性があるという問題がある。
【０００７】
【発明が解決しようとする課題】
本発明の目的は、ビデオ装置を電子銃ユニットに容易に結合することができ、電子銃ユニットからビデオ装置が離脱されることを防止することができるディスプレイ装置を提供することである。
【０００８】
また、本発明の他の目的は、陰極線管バルブのネックが破損されることを防止する、ビデオ装置と電子銃ユニットの結合方法を提供することである。
【０００９】
【課題を解決するための手段】
上記課題を解決するため、本出願の主たる観点によれば、画像が表示されるパネルと、前記パネルに結合されるファンネルと、前記ファンネルのネックに挿入される電子銃ユニットと、前記電子銃ユニットに結合されてビデオ信号を伝達するビデオ装置とを備えるディスプレイ装置において、輪状の第１クランプ本体を含み、前記ファンネルのネックの外周面に配設された前記第１クランプ本体を締めることにより前記ファンネルのネックに装着結合される第１クランプ部材と、前記ビデオ装置に装着結合される輪状の第２クランプ本体を含む第２クランプ部材とを設け、前記第１クランプ本体と前記第２クランプ本体とを相互に係止めさせて、更に前記第２クランプ本体を前記第１クランプ本体と一体となるように締めることにより前記第１クランプ部材と前記第２クランプ部材とを相互結合させて、前記ビデオ装置が前記電子銃ユニットから離脱するのを防止したこと、を特徴とするディスプレイ装置が提供される。
【００１０】
上記記載の発明では、電子銃ユニットのファンネルのネックの外周面に輪状の第１クランプ本体を、ビデオ装置に輪状の第２クランプ本体をそれぞれ装着し、これら輪状の第１クランプ本体と輪状の第２クランプ本体とを相互に係り止めさせて、更に前記第２クランプ本体を前記第１クランプ本体と一体となるように締めて結合させることにより電子銃ユニットとビデオ装置とを結合させることができる。上記のように第１クランプ部材と第２クランプ部材を用いて結合させる構成としたことにより結合が強固になるので、電子銃ユニットからビデオ装置が離脱するのを防止することができ、大型ディスプレイ装置に適用することも可能となる。また、第１クランプ部材及び第２クランプ部材を介して結合を行うことにより、ファンネルのネックが破損されるのを防止することができる。
【００１１】
ここで、上記ビデオ装置は、上記電子銃ユニットが挿入されるように板面に貫通形成されたネック挿入孔を有するシールド部材と、上記電子銃ユニットに向かって突出される複数のリブを有し、上記シールド部材に結合される補強部材と、上記シールド部材の背後に結合され、上記電子銃ユニットのネックの外側に突出されたボス部と整合するボス装着部を有するビデオＰＣＢと、を含むように構成されるのがよい。かかる構成とし、電子銃ユニットのボス部をビデオＰＣＢのボス装着部に挿入すると、電子銃ユニットとビデオ装置とが電気的に結合される。また、補強部材を設けることにより、電子銃ユニットとビデオ装置とがより安定的に結合されてビデオ装置が離脱されるのを防止することができる。
【００１２】
また、上記第１クランプ部材は、上記ファンネルのネックの外周面に配設される上記第１クランプ本体と、上記第１クランプ本体が上記ネックの外周面に密着されるように上記第１クランプ本体の両端部を締める第１締結部材とを有し、上記第２クランプ部材は、上記ビデオ装置から突出される複数のリブに係止される上記第２クランプ本体と、上記第１クランプ本体および上記第２クランプ本体が相互に係止めされる時、上記第２クランプ本体を上記第１クランプ本体と一体となるように締める第２締結部材と、を有するように構成されるのがよい。かかる構成とすることにより、第１締結部材によりファンネルに結合された第１クランプ本体と、リブによりビデオ装置に結合された第２クランプ本体とが、第２締結部材により締結されて、電子銃ユニットとビデオ装置とを結合することができる。
【００１４】
そして、上記第１クランプ本体及び上記第２クランプ本体には、いずれか一方の板面に少なくとも一つの係止孔が形成され、もう一方の板面に上記係止孔に係止可能な少なくとも一つの係止突起が形成されるように構成すれば、第１クランプ部材と第２クランプ部材とが係止されるようにして両者を結合させることができる。
【００１５】
この時、前記係止孔は長孔である、如く構成すれば、前記第１クランプ部材と前記第２クランプ部材の係止作業を容易にすることができる。
【００１６】
また、上記補強部材の各リブの先端には折曲部が形成され、上記第２クランプ本体の板面には上記折曲部が選択的に係止されるリブ装着孔が形成されるようにすれば、第２クランプ部材のリブ装着孔に補強部材のリブを係止めさせて第２クランプ部材をビデオ装置に結合させることができる。
【００１７】
【発明の実施の形態】
以下、添付した図面を参照して本発明の実施の形態について詳細に説明する。
【００１８】
図１は、本実施形態におけるディスプレイ装置の分解斜視図である。
【００１９】
本実施形態におけるディスプレイ装置は、図１に示したように、外観を形成するケーシング１０と、ケーシング１０内に設けられる陰極線管バルブ２０と、陰極線管バルブ２０内に電子ビームを放出させる電子銃ユニット３０（図２参照）と、電子銃ユニット３０に結合されて陰極線管バルブ２０にビデオ信号を伝達するビデオ装置４０と、陰極線管バルブ２０に電気的信号を伝達するメインＰＣＢ５１が装着された基板フレーム５０と、を有する。
【００２０】
ケーシング１０は、陰極線管バルブ２０を間において前方および後方に配置されて相互結合される前方ケーシング１０ａおよび後方ケーシング１０ｂを含む。前方ケーシング１０ａには陰極線管バルブ２０のパネル２０ａにディスプレイされる画像が外部にディスプレイされるように透視開口１２が形成されている。前方ケーシング１０ａの背面の上部には、後方ケーシング１０ｂとの結合のため、後方ケーシング１０ｂに向かって突出された複数のスナップ１４が形成されている。前方ケーシング１０ａの背面の下部には、陰極線管バルブ２０の下部を支持する支持部１６が設けられている。
【００２１】
後方ケーシング１０ｂの前方の上部には、前方ケーシング１０ａのスナップ１４が係止されるように係止部（図示せず）が設けられている。また、後方ケーシング１０ｂの板面には、各種の部品から発生する熱を外部に放出するための複数のスロット１７が設けられている。
【００２２】
図２は、図１のディスプレイ装置を部分拡大した分解斜視図である。
【００２３】
陰極線管バルブ２０は、図２に示したように、前方ケーシング１０ａの透視開口１２に配置され、画像がディスプレイされるパネル２０ａと、パネル２０ａに結合される漏斗状のファンネル２０ｂと、を含む。内部が真空状態で維持される陰極線管バルブ２０の外側には、パネル２０ａにディスプレイされる画像が安定した状態で維持されるように、陰極線管バルブ２０および周辺部品から発生する磁力を除去するデガウジングコイル２５（Ｄｅｇａｕｓｓｉｎｇ Ｃｏｉｌ）が設けられている。
【００２４】
陰極線管バルブ２０の前方の縁部には、金属材質の結合バンド２６が設けられている。結合バンド２６の各角部には、前方ケーシング１０ａの背面に形成されたボス部（図示せず）にネジ結合されるように、貫通孔の形成された複数の結合片２７が設けられている。
【００２５】
陰極線管バルブ２０のネック２０ｃには、電子銃ユニット３０が結合されている。電子銃ユニット３０は、陰極線管バルブ２０内に電子ビームを投射して、パネル２０ａの表面に塗り付けられた単色またはＲＧＢ（Ｒｅｄ，Ｇｒｅｅｎ，Ｂｌｕｅ）の蛍光物質に電子ビームを当てることにより、パネル２０ａに画像がディスプレイされるようにする。
【００２６】
図３は、図２に示した電子銃ユニットの拡大斜視図である。
【００２７】
電子銃ユニット３０は、図３に示したように、陰極線管バルブ２０のネック２０ｃ内に挿入される挿入部（図示せず）と、挿入部の端部に設けられてネック２０ｃの外側に突出されたボス部３０ａと、を有する。ボス部３０ａは、ビデオ装置４０のボス装着部４５（図５参照）と結合される時、回転されないように、非円形の断面を有するように形成される。ボス部３０ａには、ボス装着部４５に形成されたピン受容孔４６（図５参照）に挿入されて電気的に接触される複数のピン３０ｂが設けられている。
【００２８】
図４は、図２に示したビデオ装置の拡大斜視図である。
【００２９】
図５は、電子銃ユニットとビデオ装置の分解斜視図である。
【００３０】
ビデオ装置４０は、図４および図５に示したように、金属材質で形成され、ビデオ装置４０の外観を形成するシールド部材４１と、シールド部材４１の背面に結合される補強部材４２と、ボルト４７によりシールド部材４１の背面に結合されるビデオＰＣＢ４４と、を有する。
【００３１】
シールド部材４１の前面の中央領域には、ネック２０ｃの一部領域を含んで電子銃ユニット３０のボス部３０ａが挿入されるようにネック挿入孔４１ａが形成されている。ネック挿入孔４１ａの周辺には、補強部材４２のフック部４２ｄが挿入されて、位置固定されるように複数の係止孔４１ｂが形成されている。
【００３２】
補強部材４２は、中央領域の開口された本体部４２ａと、本体部４２ａに形成されて、ネック挿入孔４１ａを通じてシールド部材４１の外側に突出される複数のリブ４２ｂと、を有する。リブ４２ｂは、ネック挿入孔４１ａの周りに沿って配置され、後述する第２クランプ部材７０を支持する。
【００３３】
各リブ４２ｂの先端には、折曲部４２ｃが設けられている。各リブ４２ｂの折曲部４２ｃは、後述する第２クランプ本体７０ａに形成された先端部７０ｄまたはリブ装着孔７０ｅの対応する部分にそれぞれ係止される。これにより、第２クランプ部材７０は、リブ４２ｂによりその位置を固定的に維持することが可能となる。
【００３４】
ビデオＰＣＢ４４には、電子銃ユニット３０のボス部３０ａが挿入されて結合されるボス装着部４５が設けられている。ボス装着部４５は、ボス部３０ａとその形状が同一に形成される。ボス装着部４５には、電子銃ユニット３０に設けられたピン３０ｂが挿入されて、電気的に接触するピン受容孔４６が形成されている。
【００３５】
電子銃ユニット３０およびビデオ装置４０には、相互結合されることにより、電子銃ユニット３０からビデオ装置４０が離脱されることを防止する第１クランプ部材６０および第２クランプ部材７０が設けられている。以下、電子銃ユニット３０に設けられるものを第１クランプ部材６０と呼び、ビデオ装置４０に設けられるものを第２クランプ部材７０と呼ぶ。
【００３６】
図６は、図５に示した第１クランプ部材および第２クランプ部材の拡大斜視図である。
【００３７】
図６に拡大して示したように、第１クランプ部材６０は、陰極線管バルブ２０のネック２０ｃの外周面に配置される輪状の第１クランプ本体６０ａと、第１クランプ本体６０ａがネック２０ｃの外周面に密着されるように、第１クランプ本体６０ａの両端６０ｅ、６０ｆが相互接近されるように締める第１締結部材６０ｂ、６０ｄと、を有する。第１クランプ本体６０ａには、後述する第２クランプ本体７０ａに形成された係止突起７０ｃが係止されるように、複数の係止孔６０ｃが形成されている。係止孔６０ｃは、係止作業が容易に行われるように長孔で形成されている。
【００３８】
第２クランプ部材７０は、ビデオ装置４０の複数のリブ４２ｂに位置固定される第２クランプ本体７０ａと、第２クランプ部材７０の係止突起７０ｃが第１クランプ部材６０の係止孔６０ｃに係止される際に、第２クランプ本体７０ａの両端７０ｆ、７０ｇが相互接近される方向に締めることにより、第２クランプ部材７０の係止突起７０ｃが第１クランプ部材６０の係止孔６０ｃから離脱されることを防止する第２締結部材７０ｂと、を含む。
【００３９】
第２クランプ本体７０ａには、第１クランプ部材６０の各係止孔６０ｃに係止される係止突起７０ｃと、各リブ４２ｂの先端に形成された折曲部４２ｃが係止される先端部７０ｄおよびリブ装着孔７０ｅが形成されている。
【００４０】
このような構成によって、ビデオ装置４０を電子銃ユニット３０に結合させる過程を以下に説明する。
【００４１】
まず、第１クランプ部材６０の第１クランプ本体６０ａをネック２０ｃの外周面に位置させた後、第１締結部材６０ｂ、６０ｄを締めて第１クランプ本体６０ａの両端６０ｅ、６０ｆが相互接近されるようにして、第１クランプ本体６０ａがネック２０ｃの外周面に密着されるようにする。
【００４２】
同様に、第２クランプ部材７０の第２クランプ本体７０ａをビデオ装置４０のリブ４２ｂに装着する。即ち、各リブ４２ｂの先端に形成された折曲部４２ｃが第２クランプ本体７０ａに形成された先端部７０ｄまたはリブ装着孔７０ｅの対応する部分にそれぞれ係止されるようにして、第２クランプ部材７０が複数のリブ４２ｂにより支持されるようにする。
【００４３】
この後、電子銃ユニット３０のボス部３０ａがビデオ装置４０のネック挿入孔４１ａを通じてビデオＰＣＢ４４のボス装着部４５に挿入されるようにする。ボス部３０ａがボス装着部４５に挿入されると、電子銃ユニット３０の各ピン３０ｂは、ビデオＰＣＢ４４に設けられたピン受容孔４６に結合されることにより、電子銃ユニット３０とビデオ装置４０は電気的に結合される。
【００４４】
次に、ビデオ装置４０に設けられた第２クランプ部材７０の第２クランプ本体７０ａに設けられた各係止突起７０ｃが電子銃ユニット３０に結合された第１クランプ部材６０の第１クランプ本体６０ａに形成された各係止孔６０ｃに係止されるようにする。係止突起７０ｃが係止孔６０ｃに係止された後、第２クランプ本体７０ａの両端７０ｆ、７０ｇが相互接近されるように第２クランプ部材７０に設けられた第２締結部材７０ｂを締めることにより、係止突起７０ｃが係止孔６０ｃから離脱されないようにして、電子銃ユニット３０とビデオ装置４０を完全に結合させる。
【００４５】
以上、本発明に係る好適な実施の形態について説明したが、本発明はかかる構成に限定されない。当業者であれば、特許請求の範囲に記載された技術思想の範囲内において、各種の修正例および変更例を想定し得るものであり、それらの修正例および変更例についても本発明の技術範囲に包含されるものと了解される。
【００４６】
【発明の効果】
以上のように、本発明は、電子銃ユニット３０およびビデオ装置４０にそれぞれ第１クランプ部材６０および第２クランプ部材７０を設けることにより、電子銃ユニット３０からビデオ装置４０が離脱されることを防止することができ、ビデオ装置４０を電子銃ユニット３０に容易に結合させることができる。
【００４７】
また、第１クランプ部材６０および第２クランプ部材７０の結合により、電子銃ユニット３０およびビデオ装置４０が結合されるので、従来のように陰極線管バルブ２０のネック２０ｃが破損されることを防止することができる。
【図面の簡単な説明】
【図１】本実施形態におけるディスプレイ装置の分解斜視図である。
【図２】図１のディスプレイ装置を部分拡大した分解斜視図である。
【図３】図２に示した電子銃ユニットの拡大斜視図である。
【図４】図２に示したビデオ装置の拡大斜視図である。
【図５】電子銃ユニットとビデオ装置の分解斜視図である。
【図６】図５に示した第１クランプ部材および第２クランプ部材の拡大斜視図である。
【符号の説明】
１０  ケーシング
２０  陰極線管バルブ
３０  電子銃ユニット
４０  ビデオ装置
５０  基板フレーム
６０  第１クランプ部材
７０  第２クランプ部材
２０ｂ  ファンネル
２０ｃ  ネック
３０ａ  ボス部
３０ｂ  ピン
６０ａ  第１クランプ本体
６０ｂ  第１締結部材
６０ｃ  係止孔
７０ａ  第２クランプ本体
７０ｂ  第２締結部材
４１    シールド部材
４１ａ  ネック挿入孔
４１ｂ  係止孔
４２    補強部材
４２ａ  本体部
４２ｂ  リブ
４２ｃ  折曲部
４２ｄ  フック部
４７    ボルト
４４    ビデオＰＣＢ
４５    ボス装着部
４６    ピン受容孔
【図１】
0003706569.tif 000002
【図２】
0003706569.tif 000003
【図３】
0003706569.tif 000004
【図４】
0003706569.tif 000005
【図５】
0003706569.tif 000006
【図６】
0003706569.tif 000007